(57)【要約】  本発明は、直流機、特に自動車のブロワの駆動のために用いられる直流モータであって、当該機械のスタータを形成する磁極ハウジング（１０）と、２つのエンドシールド（１８、２０）内で回転可能に支承されたロータ（２２）と、該ロータ（２２）への電流供給のために用いられるブラシ支持体（３４）とが設けられているものに関する。本発明によれば、機械の電気的な接続ケーブル（２６、２８）のための引張り負荷軽減装置を備えた保持装置（３６）がブラシ支持体（３４）に組み込まれており、これにより、接続ケーブルの確実な戻り止めと引張り負荷軽減と絶縁化とが、付加的な構成部材なしにかつ追加手間なしに機械の組み立て時に達成される。
2010522532.tif 000002
【特許請求の範囲】
【請求項１】
直流機、特に自動車のブロワの駆動のための直流モータであって、当該直流機のステータを形成する磁極ハウジング（１０）と、２つのエンドシールド（１８、２０）内に回転可能に支承されたロータ（２２）と、該ロータ（２２）への電流供給のために用いられるブラシ支持体（３４）とが設けられている形式のものにおいて、ブラシ支持体（３４）に、当該直流機の電気的な接続ケーブル（２６、２８）のための引張り負荷軽減装置を備えた保持装置（３６）が組み込まれていることを特徴とする、直流機。
【請求項２】
電気的な接続ケーブル（２６、２８）のための保持装置（３６）が、ブラシ支持体（３４）と一体に形成されている、請求項１記載の直流機。
【請求項３】
ブラシ支持体（３４）と、接続ケーブル（２６、２８）のための保持装置（３６）とが、プラスチック射出成形部材として一体に形成されている、請求項１または２記載の直流機。
【請求項４】
保持装置（３６）が、少なくとも１つの電気的な接続ケーブル（２６、２８）を少なくとも部分的に取り囲む弾性変形可能な少なくとも１つのウェブ（３８、４０）を有している、請求項１から３までのいずれか１項記載の直流機。
【請求項５】
各接続ケーブル（２６、２８）のための保持装置（３６）が、弾性変形可能な別個のウェブ（３８、４０）を有している、請求項１から４までのいずれか１項記載の直流機。
【請求項６】
接続ケーブル（２６、２８）のための保持装置（３６）が、磁極ハウジング（１０）と一方のエンドシールド（１８）との間に緊締されており、ウェブ（３８、４０）に、接続ケーブル（２６、２８）に対する収容横断面を減少させる力が加えられるようになっている、請求項１から５までのいずれか１項記載の直流機。
【請求項７】
各接続ケーブル（２６、２８）のための別個の保持ウェブ（３８、４０）が、片側で保持装置（３６）に一体成形されている、請求項１から６までのいずれか１項記載の直流機。
【請求項８】
ウェブ（３８、４０）が、磁極ハウジング（１０）の切欠き（４２、４４）内に突入している、請求項１から７までのいずれか１項記載の直流機。
【請求項９】
ウェブ（３８、４０）が、ほぼ円セグメント状に形成されている、請求項１から８までのいずれか１項記載の直流機。
【請求項１０】
ウェブ（３８，４０）が、その開放端に隆起状の肉厚部（５８）を有している、請求項１から９までのいずれか１項記載の直流機。
【発明の詳細な説明】
【技術分野】
【０００１】
背景技術
本発明は、独立請求項の上位概念部に記載の直流機、特に自動車のブロワの駆動のための直流モータから出発する。これに対して、既に自動車の暖房用ブロワおよび空調用ブロワに使用するための２極式のブラシ付き直流モータが公知である。この公知のブラシ付き直流モータは、プラス導線とマイナス導線との個別ケーブルの引き出しに対して機械的な引張り負荷軽減装置を有しており、この引張り負荷軽減装置は付加的な組み付け部材を用いて実現されている。このようなアッセンブリは、別個の部材の用意と組み付けとを必要とし、これにより、１つには製作手間が、もう１つには本発明による機械の組み立て時の組み付け手間ひいては製造コストが増加する。
【０００２】
発明の開示
独立請求項に記載の特徴を備えた直流機の本発明による構成は、ブラシ支持体の構成への接続ケーブルに対する引張り負荷軽減装置の組み込みにより、付加的な構成部材の用意と組み付けとが省略され、これにより本発明による直流機の製作コストを削減することができるという利点を有している。この場合、有利には、電気的な接続ケーブルのための保持装置がブラシ支持体と一体に、有利にはプラスチック射出成形部材として形成されている。
【０００３】
さらに、保持装置が、少なくとも１つの電気的な接続ケーブルを少なくとも部分的に取り囲む少なくとも１つの弾性変形可能なウェブを有していると有利であると分かった。このウェブは既に組み立て時に、特に完成した本発明による機械において、設定された圧力を接続ケーブルに加え、この場合、同時に保持部分および引張り負荷軽減装置として働く。有利には、各接続ケーブルのための保持部分は、弾性変形可能な別個のウェブを有しており、このウェブは、拘束すべきケーブルを既に組み付け時に拘束し、こうして、本発明による機械の製作を容易にするように、接続ケーブルに相応して成形かつ寸法設定されている。
【０００４】
組み付け部材の節減は、さらに、接続ケーブルのための保持装置が磁極ハウジングの一方の縁部と一方のエンドシールドとの間に緊締されることにより生じる。この場合、１つまたはそれ以上のウェブに、本発明による機会の組み立て時に、接続ケーブルに対する収容横断面を減少させる力が加えられ、これにより接続ケーブルが確実に拘束されていて、ケーブルに作用する引張り力が保持装置によって吸収される。
【０００５】
本発明のさらなる詳細および有利な構成は、従属請求項と本発明の実施例の説明とから明らかである。
【図面の簡単な説明】
【０００６】
【図１】本発明による直流機の全体を示す斜視図である。
【図２】直流機の接続ケーブルのための一体成形された保持装置を備えたブラシ支持体の斜視図である。
【図３】直流機の接続ケーブルのための保持装置の拡大斜視図である。
【０００７】
発明の実施形態
本発明の実施例を図面に示し、以下に詳しく説明する。
【０００８】
図１には、例えば自動車の暖房用ブロワまたは空調用ブロワに使用されるような直流モータが示されている。この場合、符号１０で2層式の磁極ハウジングが示されている。この磁極ハウジング１０は、公知の形式で、溶接点１１で互いに結合された2つの金属薄板１２、１４から成っていて、１回のロール成形過程で、中空円筒形状に成形されている。内側の金属薄板１４には、鳩尾状のかしめ加工部１６によって２つのエンドシールド１８、２０が結合されている。この2つのエンドシールド１８、２０内には本発明による機械のロータ２２が回転可能に支承されている。図示されていない２つのステータ磁極は、磁極ハウジング１０に内部で取り付けられた永久磁石によって形成されている。モータの出力は、ロータ軸２４を介して伝達される。
【０００９】
本発明による機械への電流供給のために、2つの接続ケーブル２６、２８が働く。この2つの接続ケーブル２６、２８は、直流電圧源のプラス接続部とマイナス接続部とに接続可能であり、ブラシホルダ３０、３２内にガイドされた図示されていない2つのブラシと、同様に図示されていない1つのコレクタとを介してロータ２２に給電する。
【００１０】
ブラシホルダ３０、３２は、ブラシ支持体３４の一部であり、このブラシ支持体３４は図２に詳細に示されていて、そこで詳しく説明されている。ブラシ支持体３４には、接続ケーブル２６、２８のための保持装置３６が組み込まれており、この保持装置３６は、同時にケーブル２６、２８に対する引張り負荷軽減装置として働く。この保持装置３６の主要な部分は、円セグメント状に形成された2つのウェブ３８、４０であり、この２つのウェブ３８、４０は、それぞれ１つの接続ケーブル２６、２８を取り囲むように把持し、磁極ハウジング１０の切欠き４２，４４内に突入する。上側のエンドシールド１８の組み付け時には、ウェブ３８、４０が、内側の金属薄板ジャケット１４によって切欠き４２、４４の底部から接続ケーブル２６、２８に圧着され、これにより、ウェブ３８、４０が、組み付け時の接続ケーブル２６、２８の拘束の他に、本発明による機械の完成した状態において付加的にケーブルの引張り負荷軽減装置を形成している。この場合、ケーブル２６、２８は、その上方に位置する、図３に認めることができる絶縁材料保持装置３６の区分６６、６８に支持される。
【００１１】
図２は、接続ケーブル２６、２８のための一体成形された保持装置３６を備えた、本発明による機械のブラシ支持体３４を斜視図で示している。この場合、保持装置３６はブラシ支持体３４と一体にプラスチック射出成形部材として製作されている。図２は、ブラシ支持体３４を本発明による機械の内側から示しており、この場合、ブラシ支持体３４と、保持装置３６、特にそのウェブ３８、４０との一体の構成を見ることができる。この図には、ブラシホルダ３０、３２以外に、妨害防止チョークを収容するための別の2つのホルダ４６、４８と、妨害防止コンデンサを収容するための１つのホルダ５０と、サーモスイッチを収容するための１つのホルダ５２とが認められる。これらのホルダは、その材料の射出成形により、同様にブラシ支持体３４に一体成形されている。図示されていないカーボンブラシは、公知の形式でブラシホルダ３０、３２内に長手方向摺動可能に配置されていて、前述した組み付け部材と共にブラシ支持体３４に前組み付けされ、構成ユニットとして磁極ハウジング１０とエンドシールド１８との間で本発明による機械内に嵌め込まれる。この場合、接続ケーブル２６、２８のための保持装置３６は、ホルダ５０に隣り合ってブラシ支持体３４に一体成形されていて、プレート状の区分５４と壁区分５６とによってブラシ支持体３４に一体に結合されている。
【００１２】
図３は、接続ケーブル２６、２８のための保持装置３６をブラシ支持体３４なしの別の拡大斜視図で示している。この図は、図１による保持装置３６の組み付け位置に相応しており、この場合、ウェブ３８、４０は下向きに突出している。このウェブ３８、４０は弾性変形可能であり、それぞれ1つの接続ケーブルを取り囲むように把持する。この場合、ウェブ３８、４０は、それぞれ片側で保持装置３６に一体成形されていて、反対の側の開放端に隆起状の肉厚部５８、６０を有している。この肉厚部５８、６０は接続ケーブルを、ウェブ３８、４０と、その上方に位置する、保持装置３６の区分６６、６８との間への係止後に、その位置で付加的に拘束する。ケーブル２６、２８のこの拘束は、磁極ハウジング１０とエンドシールド１８との間への組み付け時のプレス嵌めによってさらに一層強化される。この場合、切欠き４２、４４の縁区分が下方からかつエンドシールド１８のフランジが上方からウェブ３８、４０に圧力を加える。この場合、ウェブ３８、４０には、切欠き４２、４４への載着部の領域で付加的なリブ６２、６４を一体成形することができ、これにより、規定された載着点と載着力とが形成される。エンドシールド１８の取り付けフランジによる圧着圧は、上方から保持装置３６の区分６６、６８に生じる。各圧着力は、矢印Ｐによって概略的に図示されている。ウェブ３８、４０の幅は、このウェブ３８、４０が磁極ハウジング１０を越えて外方に突出し、ケーブル２６、２８を磁極ハウジング１０の鋭い縁部に対して防護するように寸法設定されている。この場合、ブラシ支持体３４に対する外側の１つの結合ウェブ７０とＵ字形の2つの結合区分７２、７４とは保持装置３６の安定性を高める。
【００１３】
本発明による機械、特にブラシ支持体３４に組み込まれた保持装置３６と、電気的な接続ケーブル２６、２８のための引張り負荷軽減装置とを備えた直流機の本発明による構成によって、ほぼ追加手間なしに、絶縁性の接続ケーブル２６、２８の確実な戻り止めと同時に、容易にされた、機械の組み付けが達成される。磁極ハウジング１０に設けられた切欠き４２、４４によって、組み付け時の構成部材の位置決めがさらに簡略化されかつウェブ３８、４０に対する保護が得られる。同時に、このウェブ３８、４０は、接続ケーブル２６、２８の絶縁シースに対する摩擦接続部と形状接続部とを形成する。なぜならば、ウェブ３８、４０が、組み付け時にケーブル絶縁部に僅かに押し込まれるからである。接続ケーブルの引張り負荷軽減装置に対する付加的な構成部材と作業ステップとは省略することができる。
【符号の説明】
【００１４】
１０  磁極ハウジング、  １１  溶接点、  １２、１４  金属薄板、  １６  鳩尾状のかしめ加工部、  １８、２０  エンドシールド、  ２２  ロータ、  ２４  ロータ軸、  ２６、２８  接続ケーブル、  ３０、３２  ブラシホルダ、  ３４  ブラシ支持体、  ３６  保持装置、  ３８、４０  ウェブ、  ４２、４４  切欠き、  ４６、４８、５０、５２  ホルダ、  ５４  区分、  ５６  壁区分、  ５８、６０  肉厚部、  ６２、６４  リブ、  ６６、６８  区分、  ７０  結合ウェブ、  ７２、７４  結合区分、  Ｐ  圧着力
【図１】
2010522532.tif 000003
【図２】
2010522532.tif 000004
【図３】
2010522532.tif 000005
【国際調査報告】
2010522532.tif 000006
2010522532.tif 000007
2010522532.tif 000008
2010522532.tif 000009
2010522532.tif 000010
2010522532.tif 000011